(57)【要約】【課題】他船のＭＭＳＩ番号と同一のＭＭＳＩ番号を含んだＡＩＳ信号を送信する船舶が出現した場合でも適切に対処できるＡＩＳ情報処理装置を提供する。【解 決手段】ＡＩＳ情報監視装置１は、送信船舶判断部２１と、データ処理部３１と、を備える。送信船舶判断部２１は、同一のＭＭＳＩ番号を含む複数のＡＩＳ受 信データが、異なる船舶から送信されたものかの船舶同一性判断を、前記ＡＩＳ受信データに含まれる少なくとも船舶の位置の情報に基づいて行う。データ処理 部３１は、前記送信船舶判断部２１が異なる船舶から送信されたと判断した複数のＡＩＳ受信データを、異なる船舶のＡＩＳ受信データとしてデータ処理を行 う。【選択図】図１
2020084979.tif 000002
【特許請求の範囲】
【請求項１】
同一のＭＭＳＩ番号を含む複数のＡＩＳ情報が、異なる船舶から送信されたものかの船舶同一性判断を、前記ＡＩＳ情報に含まれる少なくとも船舶の位置の情報に基づいて行う送信船舶判断部と、
前記送信船舶判断部が異なる船舶から送信されたと判断した複数の前記ＡＩＳ情報を、異なる船舶の前記ＡＩＳ情報としてデータ処理を行うデータ処理部と、
を備えることを特徴とするＡＩＳ情報処理装置。
【請求項２】
請求項１に記載のＡＩＳ情報処理装置であって、
前記送信船舶判断部は、前記船舶同一性判断を、それぞれの前記ＡＩＳ情報が示す船舶の位置同士の距離に基づいて行うことを特徴とするＡＩＳ情報処理装置。
【請求項３】
請求項１又は２に記載のＡＩＳ情報処理装置であって、
前記送信船舶判断部は、前記船舶同一性判断を、
先に受信した前記ＡＩＳ情報から予測する船舶の航路と、
後に受信した前記ＡＩＳ情報が示す船舶の位置と、
に基づいて行うことを特徴とするＡＩＳ情報処理装置。
【請求項４】
請求項１から３までの何れか一項に記載のＡＩＳ情報処理装置であって、
前記送信船舶判断部は、前記船舶同一性判断を、
先に受信した前記ＡＩＳ情報から予測する次回以降の前記ＡＩＳ情報の受信タイミングにおける船舶の予測位置と、
後に受信した前記ＡＩＳ情報が示す船舶の位置と、
に基づいて行うことを特徴とするＡＩＳ情報処理装置。
【請求項５】
請求項１から４までの何れか一項に記載のＡＩＳ情報処理装置であって、
異なる船舶から送信されたと判断した前記ＡＩＳ情報に、異なる船舶のうち何れが当該ＡＩＳ情報を送信したかを特定する情報である特定情報を付与する特定情報付与部を更に備えることを特徴とするＡＩＳ情報処理装置。
【請求項６】
請求項５に記載のＡＩＳ情報処理装置であって、
前記特定情報が付与された前記ＡＩＳ情報を外部に出力するＡＩＳ情報出力部を備えることを特徴とするＡＩＳ情報処理装置。
【請求項７】
請求項５又は６に記載のＡＩＳ情報処理装置であって、
前記ＡＩＳ情報を送信した船舶に関する情報を表示するための表示データを生成する表示データ生成部を備え、
前記表示データ生成部は、異なる船舶から送信されたと判断した複数の前記ＡＩＳ情報がある場合に、当該複数のＡＩＳ情報が示す互いに異なる船舶を、複数のシンボルで同時に表示するための表示データを生成することを特徴とするＡＩＳ情報処理装置。
【請求項８】
請求項７に記載のＡＩＳ情報処理装置であって、
前記表示データ生成部は、前記特定情報を表示するための表示データを生成することを特徴とするＡＩＳ情報処理装置。
【請求項９】
請求項７又は８に記載のＡＩＳ情報処理装置であって、
前記表示データ生成部は、異なる船舶から送信されたと判断した複数の前記ＡＩＳ情報がある場合に、当該複数のＡＩＳ情報が示す互いに異なる船舶の少なくとも何れかを、強調されたシンボルで表示するための表示データを生成することを特徴とするＡＩＳ情報処理装置。
【請求項１０】
請求項１から９までの何れか一項に記載のＡＩＳ情報処理装置であって、
異なる船舶から送信されたと判断した複数の前記ＡＩＳ情報がある場合に、当該ＡＩＳ情報のＭＭＳＩ番号を記憶する記憶部を備えることを特徴とするＡＩＳ情報処理装置。
【請求項１１】
請求項１０に記載のＡＩＳ情報処理装置であって、
船舶の情報を報告するレポートデータを前記ＡＩＳ情報に基づいて生成するレポートデータ生成部を備え、
前記レポートデータ生成部は、前記記憶部に記憶されたＭＭＳＩ番号を持つ船舶のレポートデータを生成することを特徴とするＡＩＳ情報処理装置。
【請求項１２】
請求項９に記載のＡＩＳ情報処理装置であって、
船舶の情報を報告するレポートデータを前記ＡＩＳ情報に基づいて生成するレポートデータ生成部を備え、
前記レポートデータ生成部は、ユーザが前記シンボルを選択して操作することにより、当該シンボルに対応する船舶のレポートデータを生成することを特徴とするＡＩＳ情報処理装置。
【請求項１３】
請求項１から１２までの何れか一項に記載のＡＩＳ情報処理装置であって、
異なる船舶から送信されたと判断した複数の前記ＡＩＳ情報がある場合に、当該ＡＩＳ情報のＭＭＳＩ番号を記憶する記憶部を備え、
前記記憶部は、異なる船舶から送信されたと判断した複数の前記ＡＩＳ情報を蓄積することを特徴とするＡＩＳ情報処理装置。
【請求項１４】
同一のＭＭＳＩ番号を含む複数のＡＩＳ情報が、同一の船舶から送信されたものか、異なる船舶から送信されたものか、の判断である船舶同一性判断を、前記ＡＩＳ情報に含まれる少なくとも船舶の位置の情報に基づいて行い、
異なる船舶から送信されたと判断した複数の前記ＡＩＳ情報を、異なる船舶のＡＩＳ情報としてデータ処理を行うことを特徴とするＡＩＳ情報処理方法。
【発明の詳細な説明】
【技術分野】
【０００１】
本発明は、船舶自動識別装置（ＡＩＳ）に関して得られた情報を処理するＡＩＳ情報処理装置に関する。
【背景技術】
【０００２】
この種のＡＩＳ情報処理装置は、例えば特許文献１に開示されている。特許文献１のデータ補完装置は、定期的に収集されたＡＩＳデータを格納するデータベー ス内のＡＩＳデータ群において、ＩＭＯ番号やサイズなど手入力されたデータの異常や部分欠損のＡＩＳデータをフィルタリングするフィルタリング処理部を備 える。このデータ補完装置は、フィルタリング処理部が行うフィルタリング処理に基づいて、どのＡＩＳデータに誤入力があったかを特定することができる。
【先行技術文献】
【特許文献】
【０００３】
【特許文献１】特許第６１７８６６３号公報
【発明の概要】
【発明が解決しようとする課題】
【０００４】
ＡＩＳでは、国際電気通信連合の勧告であるＩＴＵ−Ｒ  Ｍ．１３７１において、船舶に搭載するＡＩＳ装置から電波（ＡＩＳ信号）により送信するＡＩＳメッ セージにＭＭＳＩ番号を含めることが定められている。ＭＭＳＩ番号は海上移動業務識別コードとも呼ばれる９桁の数字であり、所定の管轄機関により重複がな いように付与される。【０００５】
ＡＩＳ装置に設定されるＭＭＳＩ番号は、普通は、無線局（実質的には、船舶）を一意に示すものであ る。しかし、ＡＩＳ装置のユーザの誤入力又は悪意（なりすまし等）により、当該船舶のＡＩＳ装置に他船のＭＭＳＩ番号と同一のＭＭＳＩ番号が設定される場 合がある。この場合、例えば２つの船舶から、同一のＭＭＳＩ番号を含むＡＩＳ信号が送信されることがあり得る。【０００６】
この点、 上記特許文献１の構成は、海域エリアの衛星画像上の船舶画像データとＡＩＳデータとをマッピングする構成を前提にして、ＡＩＳデータに含まれるＩＭＯ番号 がデータベース内の既登録のＩＭＯ番号と一致するか否かを判断することで、船舶識別番号であるＩＭＯ番号の誤入力等の異常を検出する。従って、ＩＭＯ番号 に関する特別なデータベースを構築して常に最新の内容にする必要があり、システムの簡素化の観点から改善が望まれていた。【０００７】
また、特許文献１は、ＭＭＳＩ番号には全く言及していない。ＡＩＳメッセージのうち、船舶の現在位置等を示す動的情報のメッセージには、ＭＭＳＩ番号は含 まれるが、ＩＭＯ番号は含まれない。従って、特許文献１の構成では、ＭＭＳＩ番号の誤入力又はなりすましが行われている動的メッセージに対して、全く対処 することができない。【０００８】
本発明は以上の事情に鑑みてされたものであり、その目的は、他船のＭＭＳＩ番号と同一のＭＭＳＩ番号を含んだＡＩＳ信号を送信する船舶が出現した場合でも適切に対処できるＡＩＳ情報処理装置を提供することにある。
【課題を解決するための手段及び効果】
【０００９】
本発明の解決しようとする課題は以上の如くであり、次にこの課題を解決するための手段とその効果を説明する。
【００１０】
本発明の第１の観点によれば、以下の構成のＡＩＳ情報処理装置が提供される。即ち、このＡＩＳ情報処理装置は、送信船舶判断部と、データ処理部と、を備え る。前記送信船舶判断部は、同一のＭＭＳＩ番号を含む複数のＡＩＳ情報が、異なる船舶から送信されたものかの船舶同一性判断を、前記ＡＩＳ情報に含まれる 少なくとも船舶の位置の情報に基づいて行う。前記データ処理部は、前記送信船舶判断部が異なる船舶から送信されたと判断した複数の前記ＡＩＳ情報を、異な る船舶の前記ＡＩＳ情報としてデータ処理を行う。
【００１１】
これにより、ＡＩＳ情報から得られる船舶の位置の情報を利用して、同一 のＭＭＳＩ番号を含んだＡＩＳ情報が、同一の船舶から送信されたか、異なる船舶から送信されたかを判断することができる。従って、同一のＭＭＳＩ番号を ＡＩＳ装置に設定している船舶が複数現れた場合でも、適切なデータ処理を行うことができる。
【００１２】
前記のＡＩＳ情報処理装置においては、前記送信船舶判断部は、前記船舶同一性判断を、それぞれの前記ＡＩＳ情報が示す船舶の位置同士の距離に基づいて行うことが好ましい。
【００１３】
これにより、船舶同一性判断を簡単な処理で行うことができる。
【００１４】
前記のＡＩＳ情報処理装置においては、以下の構成とすることが好ましい。即ち、前記送信船舶判断部は、前記船舶同一性判断を、先に受信した前記ＡＩＳ情報から予測する船舶の航路と、後に受信した前記ＡＩＳ情報が示す船舶の位置と、に基づいて行う。
【００１５】
これにより、送信船舶判断部が船舶同一性判断を高精度で行うことができる。
【００１６】
前記のＡＩＳ情報処理装置においては、以下の構成とすることが好ましい。即ち、前記送信船舶判断部は、前記船舶同一性判断を、先に受信した前記ＡＩＳ情報 から予測する次回以降の前記ＡＩＳ情報の受信タイミングにおける船舶の予測位置と、後に受信した前記ＡＩＳ情報が示す船舶の位置と、に基づいて行う。
【００１７】
これにより、送信船舶判断部が船舶同一性判断を高精度で行うことができる。
【００１８】
前記のＡＩＳ情報処理装置においては、異なる船舶から送信されたと判断した前記ＡＩＳ情報に、異なる船舶のうち何れが当該ＡＩＳ情報を送信したかを特定する情報である特定情報を付与する特定情報付与部を更に備えることが好ましい。
【００１９】
これにより、物理的に異なる船舶をそれぞれ適切に特定してデータ処理を行うことができる。
【００２０】
前記のＡＩＳ情報処理装置においては、前記特定情報が付与された前記ＡＩＳ情報を外部に出力するＡＩＳ情報出力部を備えることが好ましい。
【００２１】
これにより、ＭＭＳＩ番号が同じであるにもかかわらず物理的に異なる船舶を適切に区別した形で、外部にＡＩＳ情報を提供することができる。
【００２２】
前記のＡＩＳ情報処理装置においては、以下の構成とすることが好ましい。即ち、このＡＩＳ情報処理装置は、前記ＡＩＳ情報を送信した船舶に関する情報を表 示するための表示データを生成する表示データ生成部を備える。前記表示データ生成部は、異なる船舶から送信されたと判断した複数の前記ＡＩＳ情報がある場 合に、当該複数のＡＩＳ情報が示す互いに異なる船舶を、複数のシンボルで同時に表示するための表示データを生成する。
【００２３】
これにより、物理的に異なる船舶を、複数のシンボルによって自然に表示することができる。
【００２４】
前記のＡＩＳ情報処理装置においては、前記表示データ生成部は、前記特定情報を表示するための表示データを生成することが好ましい。
【００２５】
これにより、ユーザは、物理的に異なるそれぞれの船舶を、特定情報の表示により視覚的に区別して把握することができる。
【００２６】
前記のＡＩＳ情報処理装置においては、前記表示データ生成部は、異なる船舶から送信されたと判断した複数の前記ＡＩＳ情報がある場合に、当該複数のＡＩＳ 情報が示す互いに異なる船舶の少なくとも何れかを、強調されたシンボルで表示するための表示データを生成することが好ましい。
【００２７】
これにより、他船へのなりすましを意図している等の可能性がある注意すべき船舶を、ユーザに分かり易く知らせることができる。
【００２８】
前記のＡＩＳ情報処理装置においては、異なる船舶から送信されたと判断した複数の前記ＡＩＳ情報がある場合に、当該ＡＩＳ情報のＭＭＳＩ番号を記憶する記憶部を備えることが好ましい。
【００２９】
これにより、以前にＭＭＳＩ番号の重複があったと判断され、過去に例えば他船へのなりすましに用いた可能性がある注意すべきＭＭＳＩ番号を記憶することができる。
【００３０】
前記のＡＩＳ情報処理装置においては、以下の構成とすることが好ましい。即ち、このＡＩＳ情報処理装置は、船舶の情報を報告するレポートデータを前記 ＡＩＳ情報に基づいて生成するレポートデータ生成部を備える。前記レポートデータ生成部は、前記記憶部に記憶されたＭＭＳＩ番号を持つ船舶のレポートデー タを生成する。
【００３１】
これにより、記憶部に記憶された情報を利用して、不審船等の報告データを容易に生成することができる。
【００３２】
前記のＡＩＳ情報処理装置においては、以下の構成とすることが好ましい。即ち、このＡＩＳ情報処理装置は、船舶の情報を報告するレポートデータを前記 ＡＩＳ情報に基づいて生成するレポートデータ生成部を備える。前記レポートデータ生成部は、ユーザが前記シンボルを選択して操作することにより、当該シン ボルに対応する船舶のレポートデータを生成する。
【００３３】
これにより、ユーザによって選択された不審船等の報告データを容易に生成することができる。
【００３４】
前記のＡＩＳ情報処理装置においては、以下の構成とすることが好ましい。即ち、このＡＩＳ情報処理装置は、異なる船舶から送信されたと判断した複数の前記 ＡＩＳ情報がある場合に、当該ＡＩＳ情報のＭＭＳＩ番号を記憶する記憶部を備える。前記記憶部は、異なる船舶から送信されたと判断した複数の前記ＡＩＳ情 報を蓄積する。
【００３５】
これにより、不審なＡＩＳ情報を分析する等の作業を効率的に行うことができる。
【００３６】
本発明の第２の観点によれば、以下のＡＩＳ情報処理方法が提供される。即ち、同一のＭＭＳＩ番号を含む複数のＡＩＳ情報が、同一の船舶から送信されたもの か、異なる船舶から送信されたものか、の判断である船舶同一性判断を、前記ＡＩＳ情報に含まれる少なくとも船舶の位置の情報に基づいて行う。異なる船舶か ら送信されたと判断した複数の前記ＡＩＳ情報を、異なる船舶のＡＩＳ情報としてデータ処理を行う。
【００３７】
これにより、ＡＩＳ情 報から得られる船舶の位置の情報を利用して、同一のＭＭＳＩ番号を含んだＡＩＳ情報が、同一の船舶から送信されたか、異なる船舶から送信されたかを判断す ることができる。従って、同一のＭＭＳＩ番号をＡＩＳ装置に設定している船舶が複数現れた場合でも、適切なデータ処理を行うことができる。
【図面の簡単な説明】
【００３８】
【図１】本発明の一実施形態に係るＡＩＳ情報監視装置の電気的構成を示すブロック図。
【図２】ＡＩＳ受信データに関する処理の前半部を示すフローチャート。
【図３】ＡＩＳ受信データに関する処理の後半部を示すフローチャート。
【図４】船舶同一性判断の第１の例を説明する概念図。
【図５】船舶同一性判断の第２の例を説明する概念図。
【図６】船舶同一性判断の第３の例を説明する概念図。
【図７】表示装置におけるシンボルの表示例を示す図。
【図８】表示装置に表示されるレポートデータの一例を示す図。
【発明を実施するための形態】
【００３９】
次に、図面を参照して本発明の実施の形態を説明する。図１は、本発明の一実施形態に係るＡＩＳ情報監視装置１の全体的な電気的構成を示すブロック図である。
【００４０】
図１に示す本実施形態のＡＩＳ情報監視装置（ＡＩＳ情報処理装置）１は、例えば洋上を監視するため上空を飛行する図略の飛行機（飛行体、移動体）に備えら れ、不審船の発見等を支援するために使用される。ＡＩＳ情報監視装置１は、飛行機が備えるＡＩＳ受信機１０１及び表示装置１０２にそれぞれ電気的に接続さ れる。
【００４１】
ＡＩＳ受信機１０１は、洋上の船舶が備えるＡＩＳ装置から送信されるＡＩＳ信号を図略のアンテナを介して受信し、ＡＩＳ受信データ（ＡＩＳ情報）を生成する。ＡＩＳ受信機１０１は、生成したＡＩＳ受信データを、ＡＩＳ情報監視装置１に出力する。
【００４２】
表示装置１０２は、例えば液晶ディスプレイとして構成され、様々な情報を表示することができる。
【００４３】
ＡＩＳ情報監視装置１は、ＡＩＳ受信機１０１から入力されたＡＩＳ受信データに基づいて、他船のＭＭＳＩ番号と同一のＭＭＳＩ番号によるＡＩＳ信号を送信している船舶を検知することができる。
【００４４】
以下、ＡＩＳ情報監視装置１の構成を詳細に説明する。ＡＩＳ情報監視装置１は、受信データ入力部１１と、送信船舶判断部２１と、サブ番号付与部（特定情報 付与部）２２と、データ処理部３１と、記憶部４１と、受信データ蓄積部５１と、受信データ出力部（ＡＩＳ情報出力部）６１と、表示データ生成部７１と、レ ポートデータ生成部８１と、を備える。
【００４５】
具体的には、ＡＩＳ情報監視装置１は公知のコンピュータとして構成されており、 ＣＰＵ、ＲＯＭ、ＲＡＭ等を備える。ＲＯＭには、本発明のＡＩＳ情報処理方法を実現するためのプログラムが記憶されている。上記のハードウェアとソフト ウェアの協働により、ＡＩＳ情報監視装置１を、受信データ入力部１１、送信船舶判断部２１、サブ番号付与部２２、データ処理部３１、記憶部４１、受信デー タ蓄積部５１、受信データ出力部６１、表示データ生成部７１、及びレポートデータ生成部８１として動作させることができる。
【００４６】
受信データ入力部１１は、ＡＩＳ受信機１０１からＡＩＳ受信データをリアルタイムで入力する。ＡＩＳ受信データは、船舶がＡＩＳ装置からＡＩＳ信号で送信 する情報の単位であるＡＩＳメッセージを、ＡＩＳ受信機１０１が１つ受信するたびに１つ生成される。ＡＩＳ受信機１０１が生成するそれぞれのＡＩＳ受信 データには、当該ＡＩＳ信号の受信時刻、船舶の位置（緯度、経度及び高度）等の情報が含められる。
【００４７】
船舶のＡＩＳ装置が送 信するＡＩＳメッセージの大部分は、動的情報のメッセージと、静的情報のメッセージと、の２種類である。動的情報のメッセージには、船舶の現在の位置、対 地速度、対地針路、及び回頭角速度等を示す情報が含まれている。静的情報のメッセージには、船名、船舶の長さ及び幅等を示す情報が含まれている。以下の説 明では、動的情報のメッセージを単に動的メッセージと呼び、静的情報のメッセージを単に静的メッセージと呼ぶことがある。
【００４８】
船舶のＡＩＳ装置が動的情報及び静的情報の何れを送信する場合にも、ＡＩＳメッセージには、ＡＩＳ装置に設定されたＭＭＳＩ番号が含まれている。従って、 受信データ入力部１１に入力されるＡＩＳ受信データには、常に当該ＭＭＳＩ番号が含まれている。受信データ入力部１１は、入力したＡＩＳ受信データを送信 船舶判断部２１及びデータ処理部３１に出力する。
【００４９】
送信船舶判断部２１は、ＡＩＳ受信機１０１が短い所定時間内でＡＩＳ信 号を受信することによる複数のＡＩＳ受信データ（具体的には、複数の動的メッセージに係るＡＩＳ受信データ）が同一のＭＭＳＩ番号を含んでいるときに、そ れぞれのＡＩＳ受信データが物理的に同一の船舶から送信されたものか、物理的に異なる船舶から送信されたものか、について判断する。以下の説明では、この 判断を船舶同一性判断と呼ぶことがある。
【００５０】
船舶同一性判断の一例を説明すると、例えば、ＡＩＳ受信機１０１が同一の ＭＭＳＩ番号を含む２つの動的メッセージを２秒の時間差をおいて受信したにもかかわらず、それぞれの動的メッセージに含まれている船舶の位置が例えば５０ 海里以上離れている場合を考える。２秒で５０海里を進むような高速航行は現実的に考えられないので、このような場合は、送信船舶判断部２１は、２つの動的 メッセージに係るＡＩＳ受信データが、物理的に異なる２つの船舶からそれぞれ送信されたものであると判断する。なお、送信船舶判断部２１が行う判断の詳細 については後述する。
【００５１】
サブ番号付与部２２は、ＭＭＳＩ番号が同一であるにもかかわらず物理的に異なる船舶から送信された と送信船舶判断部２１が判断したＡＩＳ受信データがある場合、当該ＡＩＳ受信データに、異なる船舶のうち何れから送信されたものかを特定する情報として、 サブ番号を付与する。
【００５２】
例えば、ＭＭＳＩ番号として「４３１０１２３４５」が含まれる２つのＡＩＳ受信データが、互いに異 なる船舶から送信されたものであると送信船舶判断部２１により判定された場合を考える。この場合、サブ番号付与部２２は、一方のＡＩＳ受信データだけに、 サブ番号として「０１」を付与する。このサブ番号が、本発明の特定情報に該当する。物理的に異なる船舶が３つ以上となる場合、付与されるサブ番号は、 「０２」、「０３」、・・・のように１ずつ増加していく。
【００５３】
上記の例では、サブ番号を「０１」から始まる２桁の数字として いるが、特定情報の形式はこれに限定されない。例えば、「Ａ」、「Ｂ」等のアルファベットを特定情報として付与しても良い。サブ番号付与部２２が、 ＭＭＳＩ番号そのものを例えば「４３１０１２３４５−０１」のように枝番付きのＭＭＳＩ番号で上書きする方法で、特定情報を付与しても良い。
【００５４】
サブ番号付与部２２は、上記のように必要に応じてサブ番号が付加されたＡＩＳ受信データを、データ処理部３１に出力する。
【００５５】
データ処理部３１は、送信船舶判断部２１から入力されたＡＩＳ受信データに対し、各種のデータ処理を行う。このデータ処理にあたっては、ＭＭＳＩ番号が同 一であるにもかかわらず物理的に異なる船舶から送信されたと送信船舶判断部２１が判断したＡＩＳ受信データがある場合、データ処理部３１は、当該ＡＩＳ受 信データを、物理的に異なる船舶（言い換えれば、互いに異なるＡＩＳターゲット）のＡＩＳ受信データとして扱う。具体的には、データ処理部３１は、複数の ＡＩＳ受信データが同一のＭＭＳＩ番号を含んでいても、サブ番号が付与されているか否かが異なる場合、又は、付与されたサブ番号同士が異なる場合は、異な るＡＩＳターゲットが送信したＡＩＳ受信データであるとみなして処理を行う。
【００５６】
データ処理部３１が行うデータ処理は用途に 応じて様々であるが、例えば、それぞれの船舶毎に航跡を求める処理が考えられる。ＭＭＳＩ番号が同じでも物理的に異なる船舶を互いに異なるＡＩＳターゲッ トであるとみなして、それぞれのＡＩＳターゲットの位置から航跡を生成することで、自然で現実に即した航跡を得ることができる。この航跡に基づいて後述の 表示データ生成部７１が表示データを生成することで、ユーザは、表示装置１０２に表示された各船舶の航跡を見ることができる。
【００５７】
データ処理部３１は、ＡＩＳ受信データを、記憶部４１、受信データ蓄積部５１、及び表示データ生成部７１に出力する。また、データ処理部３１は、行ったデータ処理の結果を表示データ生成部７１に出力する。
【００５８】
記憶部４１は、ＭＭＳＩ番号を１又は複数記憶することができる。記憶部４１は、ＭＭＳＩ番号が同一であるにもかかわらず物理的に異なる船舶から送信された と送信船舶判断部２１が判断した複数のＡＩＳ受信データがある場合に、当該ＡＩＳ受信データのＭＭＳＩ番号を送信船舶判断部２１から入力して記憶する。記 憶部４１は、記憶したＭＭＳＩ番号を、送信船舶判断部２１及び表示データ生成部７１に出力する。
【００５９】
受信データ蓄積部５１は、ＡＩＳ受信機１０１から入力されたＡＩＳ受信データを、受信ログとして全て記憶する。受信データ蓄積部５１は、記憶したＡＩＳ受信データを、必要に応じて受信データ出力部６１及びレポートデータ生成部８１に出力する。
【００６０】
また、記憶部４１は、ＭＭＳＩ番号が同一であるにもかかわらず物理的に異なる船舶から送信されたと送信船舶判断部２１が判断したＡＩＳ受信データ等、 ＡＩＳの通常の運用では考えにくい状況に関連するＡＩＳ受信データ（不規則ＡＩＳ情報）を、特別な受信ログとして記憶する。記憶部４１は、記憶したＡＩＳ 受信データを、必要に応じて受信データ出力部６１に出力する。
【００６１】
受信データ出力部６１は、記憶部４１及び受信データ蓄積部 ５１の記憶内容であるＡＩＳ受信データの全部又は一部を、ＡＩＳ情報監視装置１の外部に出力する。受信データ出力部６１は、例えば、ＡＩＳ情報監視装置１ に電気的に接続されたリムーバブル外部記憶メモリにＡＩＳ受信データを保存することで、データの出力を実現することができる。
【００６２】
記憶部４１及び受信データ蓄積部５１に記憶されるＡＩＳ受信データには、サブ番号付与部２２が必要に応じて付与したサブ番号が含まれる。受信データ出力部 ６１は、サブ番号が含まれた形で、記憶部４１又は受信データ蓄積部５１に記憶されたＡＩＳ受信データを出力することができる。これにより、同一のＭＭＳＩ 番号を設定している船舶が複数現れた場合でも、サブ番号を用いてそれぞれの船舶を区別できる形で外部装置により解析を行うことができる。
【００６３】
表示データ生成部７１は、データ処理部３１が出力するＡＩＳ受信データ及びデータ処理結果等に基づいて、ＡＩＳ情報監視装置１に接続される表示装置１０２に各船舶の位置等をグラフィカルに表示させるための表示データを生成する。
【００６４】
詳細は後述するが、表示データ生成部７１は、ＭＭＳＩ番号が同一であるにもかかわらず物理的に異なる船舶から送信されたものであると送信船舶判断部２１が 判断した複数のＡＩＳ受信データがある場合に、それぞれのＡＩＳ受信データが示す船舶を、同時に複数のシンボルで表示することができる。これにより、表示 される船舶のシンボルが瞬間的に長距離を移動する従来の不自然な挙動を防止することができる。また、表示データ生成部７１は、そのような不自然なＡＩＳ信 号を送信している船舶を、他の船舶と異なるように視覚的に強調して表示する。これにより、ユーザによる不審船の発見等が容易になる。
【００６５】
レポートデータ生成部８１は、ＡＩＳ情報監視装置１をユーザが適宜操作して指示を行ったときに、当該船舶に関するレポートデータを、受信データ蓄積部５１に蓄積されたデータ等を参照して生成する。なお、レポートデータの作成については後述する。
【００６６】
次に、図２及び図３を中心に参照して、前述した送信船舶判断部２１及びデータ処理部３１等が行う処理について詳細に説明する。図２及び図３は、ＡＩＳ受信データに対する処理を示すフローチャートである。
【００６７】
図２及び図３に示すフローは、１つの動的メッセージに関するＡＩＳ受信データがＡＩＳ受信機１０１からＡＩＳ情報監視装置１に入力される毎に開始される。
【００６８】
フローがスタートすると、送信船舶判断部２１は、今回入力された動的メッセージのＭＭＳＩ番号が、記憶部４１に記憶されたＭＭＳＩ番号と一致するか否かを調べる（ステップＳ１０１）。
【００６９】
ＭＭＳＩ番号が記憶部４１に記憶されていない場合、送信船舶判断部２１は、今回入力された動的メッセージと、直近に（ただし、現在から所定時間以内に）受 信した同一のＭＭＳＩ番号の動的メッセージとで、それぞれのメッセージに含まれる船舶の位置の間の距離を所定の閾値と比較する（ステップＳ１０２）。
【００７０】
以下の説明では、今回入力された動的メッセージを今回メッセージと呼び、直近に入力された同一のＭＭＳＩ番号の動的メッセージを前回メッセージと呼ぶこと がある。ＡＩＳ信号の受信タイミングに関して言えば、前回メッセージのＡＩＳ受信データは先に受信されたものであり、今回メッセージのＡＩＳ受信データは 後に受信されたものである。
【００７１】
なお、ステップＳ１０２等の判断を実現するために、送信船舶判断部２１は、現在から所定時間以内の過去に受信した動的メッセージのＡＩＳ受信データを記憶しておくための図略の一時記憶部を有している。
【００７２】
ステップＳ１０２の判断で用いられる閾値としては、２つの動的メッセージの受信タイミングの間に船舶が現実的に航行可能な距離よりも大きい値が設定され る。この閾値は、例えば、ＡＩＳ信号（国際ＶＨＦ）の到達範囲を考慮して３０〜４０海里とすることができる。図４には、今回メッセージで示された船舶の位 置と、前回メッセージで示された船舶の位置と、の間の距離Ｄ１の例が示されている。
【００７３】
図２のステップＳ１０２の判断で、今 回メッセージから得られた船舶の位置と、前回メッセージから得られた船舶の位置と、の間の距離Ｄ１が所定の閾値を上回る場合、船舶は短時間にそのような長 距離を航行できないので、送信船舶判断部２１は、ＭＭＳＩ番号が同じであるにもかかわらず物理的に異なる船舶から動的メッセージが送信されていると判断す る。
【００７４】
ＭＭＳＩ番号が同じであるにもかかわらず物理的に異なる船舶から動的メッセージが送信されているとステップＳ１０２ で判断された場合、そのような動的メッセージに含まれるＭＭＳＩ番号については、ただ１つの船舶を特定して示す一意性が信頼できなくなっているということ ができる。そこで、記憶部４１は、当該ＭＭＳＩ番号を記憶する（ステップＳ１０３）。
【００７５】
続いて、サブ番号付与部２２は、今 回メッセージを送信した船舶が前回メッセージを送信した船舶と物理的に異なることを示すために、今回メッセージに関するＡＩＳ受信データに新しいサブ番号 （例えば、「０１」）を付与する（図３のステップＳ１０４）。ＭＭＳＩ番号が同じでも、サブ番号がないＡＩＳ受信データと、サブ番号があるＡＩＳ受信デー タは、データ処理部３１が行うデータ処理（後述のステップＳ１０７）においては、別の船舶が送信したものとして扱われる。これにより、２つの動的メッセー ジが物理的に異なる船舶（即ち、互いに異なるＡＩＳターゲット）から送信されていることを考慮して各種のデータ処理を行うことができる。
【００７６】
ＭＭＳＩ番号が同一であるにもかかわらず物理的に異なる船舶から動的メッセージが送信される状態は、例えば不審船等が現れている可能性を示唆している。そ こで、データ処理部３１は、このようなＡＩＳ受信データを、記憶部４１に不規則受信ログとして保存する（ステップＳ１０５）。これにより、注意すべき状況 下での受信ログだけを容易に取り出すことができるので、後の分析作業の利便性を高めることができる。
【００７７】
続いて、データ処理部３１は、ＡＩＳ受信データを受信データ蓄積部５１に通常の受信ログとして保存する（ステップＳ１０６）。この受信ログは、後にレポートデータ生成部８１がレポートデータを生成するため等に用いられる。
【００７８】
その後、データ処理部３１によるデータ処理が適宜行われる（ステップＳ１０７）。その後、当該動的メッセージに関する一連の処理が終了する。
【００７９】
図２のステップＳ１０２の判断で、２つの動的メッセージが示す位置の間の距離Ｄ１が閾値以下である場合、送信船舶判断部２１は、ステップＳ１０８において 船舶の針路を考慮した判断を行う。具体的には、送信船舶判断部２１は、前回メッセージから得られる対地速度、対地針路、及び回頭角速度を利用して、現在の 船舶の針路（航路）を公知の式に従って予測する。そして、送信船舶判断部２１は、今回メッセージが示す船舶の位置が、予測された船舶の現在の針路の近傍に あるか否かを、所定の閾値を基準にして判定する。図５には、今回メッセージで示された船舶の位置と、前回メッセージから予測された船舶の現在の針路と、の 間の距離Ｄ２の例が示されている。
【００８０】
ステップＳ１０８の判断で、今回メッセージから得られた船舶の位置と、前回メッセージ から予測された船舶の現在の針路と、の間の距離Ｄ２が所定の閾値を上回る場合は、送信船舶判断部２１は、ＭＭＳＩ番号が同じであるにもかかわらず物理的に 異なる船舶から動的メッセージが送信されていると判断する。従って、上述したステップＳ１０３〜ステップＳ１０７の処理が行われ、当該動的メッセージに関 する一連の処理が終了する。
【００８１】
ステップＳ１０８の判断で、今回メッセージから得られた船舶の位置が、前回メッセージから予 測された船舶の現在の針路に近い場合、送信船舶判断部２１は、ステップＳ１０９において、動的メッセージの送信間隔及び船舶の速度を考慮して、船舶の位置 について更に詳細な判断を行う。具体的には、送信船舶判断部２１は、前回受信した動的メッセージから得られる対地速度及び回頭角速度を利用して、動的メッ セージの送信時間間隔を求める。
【００８２】
上述のＩＴＵ−Ｒ  Ｍ．１３７１には、動的メッセージに係るＡＩＳ信号を船舶がＡＩＳ装 置から送信する時間間隔は、当該船舶の航行速度の大きさ及び針路変更中か否かに応じて段階的に変化する所定の時間間隔としなければならない旨が定められて いる。送信船舶判断部２１は、各船舶のＡＩＳ装置が当該ルールに従って動的メッセージを送信することを前提にして、物理的に同一の船舶が前回メッセージと 今回メッセージの両方を送信したと仮定した場合に、前回メッセージの受信時刻から何秒後に今回メッセージが受信されるべきかを取得する。電波状況等の理由 でＡＩＳ受信機１０１が動的メッセージのＡＩＳ信号を１回又は複数回受信できない可能性を考慮して、送信船舶判断部２１は、今回メッセージの受信時刻を複 数通り求める。更に、送信船舶判断部２１は、考えられる複数通りの今回メッセージの受信時刻のそれぞれにおいて船舶はどの位置にありそうかを、前回メッ セージから得られる船舶の位置、対地速度、対地針路等を利用して予測する。
【００８３】
送信船舶判断部２１は、今回メッセージから得 られた船舶の位置及び受信時刻（即ち、現在）が、受信時刻と船舶の予測位置の組合せの何れかに近いか、それとも何れからも遠いかを、所定の範囲を定めるこ とにより判定する（ステップＳ１０９）。図６には、今回メッセージから得られた船舶の位置が示されるとともに、前回メッセージを利用して予測した今回メッ セージの受信タイミング及び船舶の位置の３通りの範囲が、破線のハッチングにより示されている。
【００８４】
ステップＳ１０９の判断 で、今回メッセージから得られた船舶の位置が、前回メッセージで予測した船舶の現在の位置及び受信時刻の組合せの何れからも遠い場合（即ち、今回メッセー ジから得られた船舶の位置が図６の３つのハッチング範囲の何れにも入っていない場合）は、送信船舶判断部２１は、ＭＭＳＩ番号が同じであるにもかかわらず 物理的に異なる船舶から動的メッセージが送信されていると判断する。従って、上述したステップＳ１０３〜ステップＳ１０７の処理が行われ、当該動的メッ セージに関する一連の処理が終了する。
【００８５】
ステップＳ１０９の判断で、今回メッセージから得られた船舶の位置が、前回メッ セージで予測した船舶の現在の位置及び受信時刻の組合せの何れかに近い場合は、送信船舶判断部２１は、今回メッセージが前回メッセージと物理的に同一の船 舶から送信されていると判断する。この場合は、データ処理部３１は、今回メッセージのＡＩＳ受信データを通常の受信ログとして保存するとともに（図３のス テップＳ１０６）、データ処理を行う（ステップＳ１０７）。その後、当該動的メッセージに関する一連の処理が終了する。
【００８６】
図２のステップＳ１０１の判断で、今回メッセージのＭＭＳＩ番号が記憶部４１に記憶されている場合、当該ＭＭＳＩ番号は一意性が疑わしいことを意味する。そこで、送信船舶判断部２１は、船舶の物理的な同一性をＭＭＳＩ番号以外の方法で判断する。
【００８７】
具体的には、送信船舶判断部２１は、今回メッセージの位置が、今回メッセージのＭＭＳＩ番号と同一のＭＭＳＩ番号を有している、サブ番号なしの最近の動的 メッセージにより推定される現在の位置と近いか遠いかを判断する（図３のステップＳ１１０）。この判断は、上記のステップＳ１０９と実質的に同様に行えば 良い。
【００８８】
ステップＳ１１０の判断で、最近に受信したサブ番号なしのＡＩＳ受信データ（動的メッセージ）から推定された現在 の位置に今回メッセージの位置が近い場合、今回メッセージを送信した船舶が、当該サブ番号なしの動的メッセージを送信した船舶と物理的に同一であると考え ることができる。従って、送信船舶判断部２１は、今回メッセージに係るＡＩＳ受信データにもサブ番号を付与しない。その後、データ処理部３１が今回メッ セージに関する蓄積処理及びデータ処理を行って（ステップＳ１０５〜ステップＳ１０７）、処理を終了する。
【００８９】
ステップ Ｓ１１０の判断で、最近に受信したサブ番号なしのＡＩＳ受信データ（動的メッセージ）から推定された現在の位置から今回メッセージの位置が遠い場合、送信 船舶判断部２１は、今回メッセージの位置が、今回メッセージのＭＭＳＩ番号と同一のＭＭＳＩ番号を有している、サブ番号ありの最近のＡＩＳ受信データ（動 的メッセージ）により推定される現在の位置の何れかに近いか、それとも何れからも遠いかを判断する（ステップＳ１１１）。この判断も、ステップＳ１１０の 判断と同様に、ステップＳ１０９と実質的に同様に行うことができる。
【００９０】
ステップＳ１１１の判断で、今回メッセージの位置 が、今回メッセージのＭＭＳＩ番号と同一のＭＭＳＩ番号を有している、サブ番号ありの最近のＡＩＳ受信情報（動的メッセージ）により推定される現在の位置 の何れかに近い場合、今回メッセージを送信した船舶が、当該サブ番号のＡＩＳ受信データに係る動的メッセージを送信した船舶と物理的に同一であると考える ことができる。従って、送信船舶判断部２１は、今回メッセージのＡＩＳ受信データに対して、該当するサブ番号と同じサブ番号を付与する（ステップ Ｓ１１２）。その後、データ処理部３１が今回メッセージに関する蓄積処理及びデータ処理を行って（ステップＳ１０５〜ステップＳ１０７）、処理を終了す る。
【００９１】
ステップＳ１１１の判断で、今回メッセージの位置が、今回メッセージのＭＭＳＩ番号と同一のＭＭＳＩ番号を有してい る、サブ番号ありの最近のＡＩＳ受信情報（動的メッセージ）により推定される現在の位置の何れからも遠い場合、今回メッセージを送信した船舶が、同一の ＭＭＳＩ番号で以前に動的メッセージを送信した何れの船舶とも物理的に異なると考えることができる。従って、送信船舶判断部２１は、今回メッセージの ＡＩＳ受信データに対して、今までのサブ番号と異なる新しいサブ番号を付与する（ステップＳ１０４）。その後、データ処理部３１が今回メッセージに関する 蓄積処理及びデータ処理を行って（ステップＳ１０５〜ステップＳ１０７）、処理を終了する。
【００９２】
以上のフローにより、ＡＩＳ 情報監視装置１は、同一のＭＭＳＩ番号のＡＩＳ信号が実際は物理的に異なる船舶から送信されている状況を、ＡＩＳ受信データの内容に基づいて適切に検出す ることができる。また、ＡＩＳ情報監視装置１は、そのような状況下でもあたかも互いに異なるＭＭＳＩ番号のＡＩＳ信号であるかようにＡＩＳ受信データを 扱って、データ処理を行うことができる。
【００９３】
次に、図１の表示データ生成部７１による表示データの生成について、図７を参照して説明する。図７は、表示装置１０２におけるシンボルの表示例を示す図である。
【００９４】
表示データ生成部７１は、ＡＩＳ受信機１０１から入力したＡＩＳ受信データを利用して、ＡＩＳメッセージを送信した船舶を示すシンボル、ＭＭＳＩ番号、船 舶の船名、船舶の位置や速力等を表示装置１０２に表示するための表示データを生成することができる。図７に示す表示例では、５つの船舶の位置、船首方位、 及び速度がシンボルＳ１，Ｓ２，Ｓ３，Ｓ４，Ｓ５でグラフィカルに示されるとともに、当該船舶のＭＭＳＩ番号がシンボルＳ１，Ｓ２，・・・の近傍に数値で 表示されている。
【００９５】
表示データ生成部７１は、ＭＭＳＩ番号が同一であるにもかかわらず物理的に異なる船舶から送信された複 数の動的メッセージがある場合に、当該動的メッセージに基づくシンボルを強調表示する表示データを生成することができる。シンボルの強調の態様は、特に限 定されない。例えば、船舶のシンボルは、マーク、色彩、文字情報等によって強調されてもよい。図７には、ＭＭＳＩ番号が「４３１０１２３４５」である２つ のシンボルＳ１，Ｓ２が通常と異なる色で強調表示される例が、ハッチングによって示されている。
【００９６】
更に、表示データ生成部 ７１は、サブ番号付与部２２によってサブ番号が付与されたＡＩＳ受信データについては、図７に示す「０１」のように、対応するシンボルＳ２の近傍に当該サ ブ番号を表示させる表示データを生成することができる。これにより、物理的に異なるそれぞれの船舶をユーザが区別して追跡し易くすることができる。
【００９７】
表示データ生成部７１は、記憶部４１に記憶されているＭＭＳＩ番号を含むＡＩＳ受信データについて、当該ＡＩＳ受信データに対応するシンボルを強調表示す ることができる。即ち、現在は物理的に異なる複数の船舶から当該ＭＭＳＩ番号の動的メッセージが送信されていなくても、過去に当該ＭＭＳＩ番号についてそ のような異常な状況があった場合には、表示装置１０２において当該ＭＭＳＩ番号の動的メッセージに係るシンボルが強調表示される。図７には、 「４３１０１０１０１」というＭＭＳＩ番号が記憶部４１に記憶されている場合に、シンボルＳ５が「！」マークにより強調表示された例が示されている。これ により、例えば過去になりすましをしていた可能性がある船舶が現れたことをユーザに知らせて、注意を喚起することができる。
【００９８】
次に、レポートデータ生成部８１によるレポートデータの生成について詳細に説明する。
【００９９】
ユーザは、表示装置１０２の表示を見ながらマウスやトラックボール等を含む操作部を操作して、画面に表示されるシンボルＳ１，Ｓ２，・・・のうち何れかを 選択して、レポートデータの生成を指示する。すると、レポートデータ生成部８１は、ユーザによって選択されたシンボルＳ１，Ｓ２，・・・に対応する船舶の レポートデータを、受信データ蓄積部５１の記憶内容を利用して生成する。
【０１００】
図８には、図７のシンボルＳ２を選択してレポー トデータの生成を指示した場合の表示画面の例が示されている。レポートデータは、図８に示すように、船舶のＭＭＳＩ番号、ＭＭＳＩ番号が他船と重複するこ とにより付加されたサブ番号、船名、船舶の位置、ＡＩＳ信号の送信日時、及び航跡等をまとめたデータである。
【０１０１】
ユーザは ＡＩＳ情報監視装置１を適宜操作して、表示装置１０２に図８のように表示されたレポートデータに対し、飛行機から撮影した当該船舶の写真の画像データを添 付したり、特記事項等をテキストで追記したりする。これにより、例えば不審船の報告書データを簡単に作成することができる。
【０１０２】
以上に説明したように、本実施形態のＡＩＳ情報監視装置１は、送信船舶判断部２１と、データ処理部３１と、を備える。送信船舶判断部２１は、同一の ＭＭＳＩ番号を含む複数のＡＩＳ受信データが、異なる船舶から送信されたかの船舶同一性判断を、それぞれのＡＩＳ受信データに含まれる船舶の位置の情報に 基づいて行う。データ処理部３１は、物理的に異なる船舶から送信されたと送信船舶判断部２１が判断した複数のＡＩＳ受信データを、異なる船舶のＡＩＳ受信 データとしてデータ処理を行う。
【０１０３】
これにより、ＡＩＳ受信データから得られる船舶の位置情報を利用して、同一のＭＭＳＩ番 号を含んだＡＩＳ受信データが、同一の船舶から送信されたか、異なる船舶から送信されたかを判断することができる。従って、同一のＭＭＳＩ番号を設定して いる船舶が複数現れた場合でも、適切なデータ処理をすることができる。
【０１０４】
以上に本発明の好適な実施の形態を説明したが、上記の構成は例えば以下のように変更することができる。
【０１０５】
上述の実施形態では、ＡＩＳ情報監視装置１は、各船舶が送信するＡＩＳ信号をリアルタイムで監視するために用いられている。しかしながら、本発明は、飛行 機に備えられるＡＩＳ受信機１０１がＡＩＳ信号を受信して適宜の記憶媒体にログとして保存したＡＩＳ受信データを読み込んで、ＡＩＳ情報監視装置１と実質 的に同様の処理を事後的に行うためのＡＩＳ受信ログ解析装置に適用することもできる。この場合、当該ＡＩＳ受信ログ解析装置がＡＩＳ情報処理装置に相当す る。
【０１０６】
ＡＩＳ受信ログ解析装置は、飛行機等の移動体に備えることもできるし、適宜の地上施設に備えることもできる。ＡＩＳ 受信ログ解析装置の構成は、ＡＩＳ受信データをＡＩＳ受信機１０１から入力する代わりに記憶媒体から入力する点を除き、ＡＩＳ情報監視装置１と実質的に同 じであるため、説明を省略する。
【０１０７】
ＡＩＳ情報監視装置１は、例えば、小型の航空機、ヘリコプター、無人航空機に搭載して使 用することができる。また、ＡＩＳ情報監視装置１は、船舶や無人水上艇等の水上を航行することができる移動体に搭載して使用することができる。更に、 ＡＩＳ情報監視装置１を船舶等に搭載して使用する場合、船舶等に設置するＡＩＳ装置に当該ＡＩＳ情報監視装置１を組み込んで使用しても良い。
【０１０８】
送信船舶判断部２１が行う判断（船舶同一性判断）は、図２のフローチャートに示すように、ステップＳ１０２、Ｓ１０８、Ｓ１０９の判断の組み合わせとする ことに限定されない。例えば、ステップＳ１０２、Ｓ１０８、Ｓ１０９の判断のうち１つ又は２つを省略することもできる。
【０１０９】
送信船舶判断部２１は、動的メッセージに含まれる対地速度及び対地針路の推移等から船舶の加速度を求め、この加速度を考慮して船舶同一性判断を行うこともできる。
【０１１０】
船舶同一性判断は、以下のようにして行うこともできる。即ち、送信船舶判断部２１は、過去のある程度長い間に送信された、同一のＭＭＳＩ番号を含む多数の ＡＩＳ受信データ（動的メッセージ）が示す位置の推移から、船舶の航路を細長い領域として予測する。送信船舶判断部２１は、この予測された航路の領域に今 回メッセージの位置が含まれる場合に、ＡＩＳ受信データが物理的に同一の船舶から送信されたものであると判定し、含まれない場合に、ＡＩＳ受信データが物 理的に異なる船舶から送信されたものであると判定する。
【０１１１】
記憶部４１は、不規則ＡＩＳ情報を、特別な受信ログとして記憶し なくても良い。この場合、不規則受信データだけの出力がＡＩＳ情報監視装置１に要求されたときは、受信データ出力部６１は、受信データ蓄積部５１の記憶内 容から不規則受信データだけを抽出して出力すれば良い。この構成では、受信データ蓄積部５１は記憶部４１としても実質的に機能することになる。
【０１１２】
ＡＩＳ受信機１０１は、ＡＩＳ情報監視装置１と一体的に備えられても良い。同様に、表示装置１０２は、ＡＩＳ情報監視装置１と一体的に備えられても良い。
【符号の説明】
【０１１３】
１  ＡＩＳ情報監視装置（ＡＩＳ情報処理装置）
２１  送信船舶判断部
２２  サブ番号付与部（特定情報付与部）
３１  データ処理部
４１  記憶部
５１  受信データ蓄積部
６１  受信データ出力部（ＡＩＳ情報出力部）
７１  表示データ生成部
８１  レポートデータ生成部
Ｓ１  シンボル
Ｓ２  シンボル
Ｓ３  シンボル
Ｓ４  シンボル
Ｓ５  シンボル
【用語】
【０１１４】
必ずしも全ての目的または効果・利点が、本明細書中に記載される任意の特定の実施形態に則って達成され得るわけではない。従って、例えば当業者であれば、特定の実施形態は、本明細書中で教示または示唆されるような他の目的または効果・利点を必ずしも達成することなく、本明細書中で教示されるような1つまたは複数の効果・利点を達成または最適化するように動作するように構成され得ることを想到するであろう。
【０１１５】
本明細書中に記載される全ての処理は、1つまたは複数のコンピュータまたはプロセッサを含むコンピューティングシステムによって実行されるソフトウェアコードモジュールにより具現化され、完全に自動化され得る。コードモジュールは、任意のタイプの非一時的なコンピュータ可読媒体または他のコンピュータ記憶装置に記憶することができる。一部または全ての方法は、専用のコンピュータハードウェアで具現化され得る。
【０１１６】
本明細書中に記載されるもの以外でも、多くの他の変形例があることは、本開示から明らかである。例えば、実施形態に応じて、本明細書中に記載されるアルゴリズムのいずれかの特定の動作、イベント、または機能は、異なるシーケンスで実行することができ、追加、併合、または完全に除外することができる (例えば、記述された全ての行為または事象がアルゴリズムの実行に必要というわけではない)。さらに、特定の実施形態では、動作またはイベントは、例えば、マルチスレッド処理、割り込み処理、または複数のプロセッサまたはプロセッサコアを介して、または他の並列アーキテクチャ上で、逐次ではなく、並列に実行することができる。さらに、異なるタスクまたはプロセスは、一緒に機能し得る異なるマシンおよび/またはコンピューティングシステムによっても実行され得る。
【０１１７】
本明細書中に開示された実施形態に関連して説明された様々な例示的論理ブロックおよびモジュールは、プロセッサなどのマシンによって実施または実行することができる。プロセッサは、マイクロプロセッサであってもよいが、代替的に、プロセッサは、コントローラ、マイクロコントローラ、またはステートマシン、またはそれらの組み合わせなどであってもよい。プロセッサは、コンピュータ実行可能命令を処理するように構成された電気回路を含むことができる。別の実施形態では、プロセッサは、特定用途向け集積回路(ASIC)、フィールドプログラマブルゲートアレイ(FPGA)、またはコンピュータ実行可能命令を処理することなく論理演算を実行する他のプログラマブルデバイスを含む。プロセッサはまた、コンピューティングデバイスの組み合わせ、例えば、デジタル信号プロセッサ(デジタル信号処理装置)とマイクロプロセッサの組み合わせ、複数のマイクロプロセッサ、DSPコアと組み合わせた1つ以上のマイクロプロセッサ、または任意の他のそのような構成として実装することができる。本明細書中では、主にデジタル技術に関して説明するが、プロセッサは、主にアナログ素子を含むこともできる。例えば、本明細書中に記載される信号処理アルゴリズムの一部または全部は、アナログ回路またはアナログとデジタルの混合回路により実装することができる。コンピューティング環境は、マイクロプロセッサ、メインフレームコンピュータ、デジタル信号プロセッサ、ポータブルコンピューティングデバイス、デバイスコントローラ、または装置内の計算エンジンに基づくコンピュータシステムを含むが、これらに限定されない任意のタイプのコンピュータシステムを含むことができる。
【０１１８】
特に明記しない限り、「できる」「できた」「だろう」または「可能性がある」などの条件付き言語は、特定の実施形態が特定の特徴、要素および/またはステップを含むが、他の実施形態は含まないことを伝達するために一般に使用される文脈内での意味で理解される。従って、このような条件付き言語は、一般に、特徴、要素および/またはステップが1つ以上の実施形態に必要とされる任意の方法であること、または1つ以上の実施形態が、これらの特徴、要素および/またはステップが任意の特定の実施形態に含まれるか、または実行されるかどうかを決定するための論理を必然的に含むことを意味するという訳ではない。
【０１１９】
語句「X、Y、Zの少なくとも1つ」のような選言的言語は、特に別段の記載がない限り、項目、用語等が X, Y, Z、のいずれか、又はそれらの任意の組み合わせであり得ることを示すために一般的に使用されている文脈で理解される(例: X、Y、Z)。従って、このような選言的言語は、一般的には、特定の実施形態がそれぞれ存在するXの少なくとも1つ、Yの少なくとも1つ、またはZの少なくとも1つ、の各々を必要とすることを意味するものではない。
【０１２０】
本明細書中に記載されかつ/または添付の図面に示されたフロー図における任意のプロセス記述、要素またはブロックは、プロセスにおける特定の論理機能または要素を実装するための1つ以上の実行可能命令を含む、潜在的にモジュール、セグメント、またはコードの一部を表すものとして理解されるべきである。代替の実施形態は、本明細書中に記載された実施形態の範囲内に含まれ、ここでは、要素または機能は、当業者に理解されるように、関連する機能性に応じて、実質的に同時にまたは逆の順序で、図示または説明されたものから削除、順不同で実行され得る。
【０１２１】
特に明示されていない限り、「一つ」のような数詞は、一般的に、1つ以上の記述された項目を含むと解釈されるべきである。従って、「〜するように設定された一つのデバイス」などの語句は、1つ以上の列挙されたデバイスを含むことを意図している。このような1つまたは複数の列挙されたデバイスは、記載された引用を実行するように集合的に構成することもできる。例えば、「以下のA、BおよびCを実行するように構成されたプロセッサ」は、Aを実行するように構成された第1のプロセッサと、BおよびCを実行するように構成された第2のプロセッサとを含むことができる。加えて、導入された実施例の具体的な数の列挙が明示的に列挙されたとしても、当業者は、このような列挙が典型的には少なくとも列挙された数(例えば、他の修飾語を用いない「2つの列挙と」の単なる列挙は、通常、少なくとも2つの列挙、または2つ以上の列挙を意味する)を意味すると解釈されるべきである。
【０１２２】
一般に、本明細書中で使用される用語は、一般に、「非限定」用語(例えば、「〜を含む」という用語は「それだけでなく、少なくとも〜を含む」と解釈すべきであり、「〜を持つ」という用語は「少なくとも〜を持っている」と解釈すべきであり、「含む」という用語は「以下を含むが、これらに限定されない。」などと解釈すべきである。) を意図していると、当業者には判断される。
【０１２３】
説明の目的のために、本明細書中で使用される「水平」という用語は、その方向に関係なく、説明されるシステムが使用される領域の床の平面または表面に平行な平面、または説明される方法が実施される平面として定義される。「床」という用語は、「地面」または「水面」という用語と置き換えることができる。「垂直/鉛直」という用語は、定義された水平線に垂直/鉛直な方向を指します。「上側」「下側」「下」「上」「側面」「より高く」「より低く」「上の方に」「〜を越えて」「下の」などの用語は水平面に対して定義されている。
【０１２４】
本明細書中で使用される用語の「付着する」、「接続する」、「対になる」及び他の関連用語は、別段の注記がない限り、取り外し可能、移動可能、固定、調節可能、及び/または、取り外し可能な接続または連結を含むと解釈されるべきである。接続/連結は、直接接続及び/または説明した2つの構成要素間の中間構造を有する接続を含む。
【０１２５】
特に明示されていない限り、本明細書中で使用される、「およそ」、「約」、および「実質的に」のような用語が先行する数は、列挙された数を含み、また、さらに所望の機能を実行するか、または所望の結果を達成する、記載された量に近い量を表す。例えば、「およそ」、「約」及び「実質的に」とは、特に明示されていない限り、記載された数値の10%未満の値をいう。本明細書中で使用されているように、「およそ」、「約」、および「実質的に」などの用語が先行して開示されている実施形態の特徴は、さらに所望の機能を実行するか、またはその特徴について所望の結果を達成するいくつかの可変性を有する特徴を表す。
【０１２６】
上述した実施形態には、多くの変形例および修正例を加えることができ、それらの要素は、他の許容可能な例の中にあるものとして理解されるべきである。そのような全ての修正および変形は、本開示の範囲内に含まれることを意図し、以下の特許請求の範囲によって保護される。
【図１】
2020084979.tif 000003
【図２】
2020084979.tif 000004
【図３】
2020084979.tif 000005
【図４】
2020084979.tif 000006
【図５】
2020084979.tif 000007
【図６】
2020084979.tif 000008
【図７】
2020084979.tif 000009
【図８】
2020084979.tif 000010
【国際調査報告】
2020084979.tif 000011
2020084979.tif 000012